(57)【要約】【課題】配線の簡略化を図ることができる液晶表示素子の提供。【解決手段】基板に形成された電極(930)に電圧を印加して液晶の配向を制御することにより標識を表示する液晶表示素子(9)において、電極(930)は、環状の閉じた形状を成す標識用電極(931)、標識用電極(931)の周囲に配置された周辺電極(933)、および標識用電極(931)によって囲まれた孤立電極(932)を有し、電極(930)と基板との間に配設され、標識用電極(931)、周辺電極(933)および孤立電極(932)に対応するスルーホール(H1~H4)がそれぞれ形成された電気的絶縁層(920)と、電気的絶縁層(920)と基板との間に配設され、スルーホール(H2,H4)を介して周辺電極(933)と孤立電極(932)とを電気的に接続する配線(913)が形成された配線層(910)とを備える。【選択図】図３
2008009386.tif 000002
【特許請求の範囲】
【請求項１】
基板に形成された電極に電圧を印加して液晶の配向を制御することにより標識を表示する液晶表示素子において、
前記電極は、環状の閉じた形状を成す標識用電極、前記標識用電極の周囲に配置された周辺電極、および前記標識用電極によって囲まれた孤立電極を有し、
前記電極と前記基板との間に配設され、前記標識用電極、前記周辺電極および前記孤立電極に対応するスルーホールがそれぞれ形成された電気的絶縁層と、
前記電気的絶縁層と前記基板との間に配設され、前記スルーホールを介して前記周辺電極と前記孤立電極とを電気的に接続する配線が形成された配線層とを備えたことを特徴とする液晶表示素子。
【請求項２】
基板に形成された電極に電圧を印加して液晶の配向を制御することにより標識を表示する液晶表示素子において、
前記電極は、絶縁部によって囲まれた孤立電極、前記絶縁部によって囲まれた孤立電極を囲むように配置された複数の標識用電極、および前記標識用電極の周囲に配置された周辺電極を有し、
前記電極と前記基板との間に配設され、前記孤立電極、前記標識用電極および前記周辺電極に対応するスルーホールがそれぞれ形成された電気的絶縁層と、
前記電気的絶縁層と前記基板との間に配設され、前記スルーホールを介して前記周辺電極と前記孤立電極とを電気的に接続する配線が形成された配線層とを備えたことを特徴とする液晶表示素子。
【請求項３】
請求項２に記載の液晶表示素子において、
前記複数の標識用電極または前記孤立電極の内、同電位に制御する標識用電極同士または孤立電極同士を前記スルーホールを介して電気的に接続する配線を前記配線層に形成したことを特徴とする液晶表示素子。
【請求項４】
請求項２または３に記載の液晶表示素子において、
前記複数の標識用電極は、該標識用電極の組み合わせにより文字を表示することを特徴とする液晶表示素子。
【請求項５】
請求項１〜４のいずれか一項に記載の液晶表示素子において、
前記スルーホールを介して前記標識用電極に接続される第１の引出配線と、前記スルーホールを介して前記周辺電極に接続される第２の引出配線とを前記配線層に形成したことを特徴とする液晶表示素子。
【請求項６】
請求項１〜５のいずれか一項に記載の液晶表示素子において、
前記液晶は高分子分散型液晶であることを特徴とする液晶表示素子。
【請求項７】
請求項１〜５のいずれか一項に記載の液晶表示素子において、
前記標識用電極に対応する前記液晶の領域に、高分子分散型液晶でホログラムを形成したことを特徴とする液晶表示素子。
【請求項８】
請求項５〜７のいずれか一項に記載の液晶表示素子と、
前記第１および第２の引出配線を介して前記各電極に電圧を印加する電源と、
前記電源による印加電圧を制御して前記液晶表示素子に標識を表示させる制御手段とを備えたことを特徴とする表示装置。
【請求項９】
請求項８に記載の表示装置と、
前記液晶表示素子を透過した光による像を形成する光学素子とを備えたことを特徴とする観察装置。
【請求項１０】
請求項１に記載の液晶表示素子と、
前記液晶表示素子を透過した光による像を形成する光学素子とを備えたことを特徴とする観察装置。
【請求項１１】
請求項１〜７のいずれか一項に記載の液晶表示素子を備えたことを特徴とするカメラ。
【発明の詳細な説明】
【技術分野】
【０００１】
本発明は、液晶を用いて文字やマーク等の標識を表示するための液晶表示素子、その液晶表示素子を用いた表示装置、観察装置およびカメラに関する。
【背景技術】
【０００２】
従来、ポリマーネットワーク液晶を用いて表示を行う表示装置が知られている（例えば、特許文献１参照）。従来の表示装置では、透明電極と配線との間にスルーホールが形成された絶縁膜層を配置し、そのスルーホールを介して透明電極と配線とを電気的に接続することにより、切れ目の無い環状の閉じた透明電極による表示を可能としている。
【０００３】
【特許文献１】特開２００１−１２５０８６号公報
【発明の開示】
【発明が解決しようとする課題】
【０００４】
しかしながら、環状透明電極とそれに囲まれた領域の透明電極との両方に引出配線を設けているので、環状透明電極が多数ある場合には、液晶セル内を引き回される引出配線が多数となり、配線長さの増加によるパターン抵抗の上昇や、製造上の歩留まりの低下という問題があった。
【課題を解決するための手段】
【０００５】
請求項１の発明は、基板に形成された電極に電圧を印加して液晶の配向を制御することにより標識を表示する液晶表示素子に適用され、電極は、環状の閉じた形状を成す標識用電極、標識用電極の周囲に配置された周辺電極、および標識用電極によって囲まれた孤立電極を有し、電極と基板との間に配設され、標識用電極、周辺電極および孤立電極に対応するスルーホールがそれぞれ形成された電気的絶縁層と、電気的絶縁層と基板との間に配設され、スルーホールを介して周辺電極と孤立電極とを電気的に接続する配線が形成された配線層とを備えたことを特徴とする。
請求項２の発明は、基板に形成された電極に電圧を印加して液晶の配向を制御することにより標識を表示する液晶表示素子に適用され、電極は、絶縁部によって囲まれた孤立電極、絶縁部によって囲まれた孤立電極を囲むように配置された複数の標識用電極、および標識用電極の周囲に配置された周辺電極を有し、電極と基板との間に配設され、孤立電極、標識用電極および周辺電極に対応するスルーホールがそれぞれ形成された電気的絶縁層と、電気的絶縁層と基板との間に配設され、スルーホールを介して周辺電極と孤立電極とを電気的に接続する配線が形成された配線層とを備えたことを特徴とする。
請求項３の発明は、請求項２に記載の液晶表示素子において、複数の標識用電極または孤立電極の内、同電位に制御する標識用電極同士または孤立電極同士をスルーホールを介して電気的に接続する配線を配線層に形成したものである。
請求項４の発明は、請求項２または３に記載の液晶表示素子において、複数の標識用電極は、該標識用電極の組み合わせにより文字を表示するものである。
請求項５の発明は、請求項１〜４のいずれか一項に記載の液晶表示素子において、スルーホールを介して標識用電極に接続される第１の引出配線と、スルーホールを介して周辺電極に接続される第２の引出配線とを配線層に形成したものである。
請求項６の発明は、請求項１〜５のいずれか一項に記載の液晶表示素子において、液晶を高分子分散型液晶としたものである。
請求項７の発明は、請求項１〜５のいずれか一項に記載の液晶表示素子において、標識用電極に対応する液晶の領域に、高分子分散型液晶でホログラムを形成したものである。
請求項８の発明による表示装置は、請求項５〜７のいずれか一項に記載の液晶表示素子と、第１および第２の引出配線を介して各電極に電圧を印加する電源と、電源による印加電圧を制御して液晶表示素子に標識を表示させる制御手段とを備えたことを特徴とする。
請求項９の発明による観察装置は、請求項８に記載の表示装置と、液晶表示素子を透過した光による像を形成する光学素子とを備えたことを特徴とする。
請求項１０の発明による観察装置は、請求項１に記載の液晶表示素子と、液晶表示素子を透過した光による像を形成する光学素子とを備えたことを特徴とする。
請求項１１の発明によるカメラは、請求項１〜７のいずれか一項に記載の液晶表示素子を備えたことを特徴とする。
【発明の効果】
【０００６】
本発明によれば、周辺電極と孤立電極とを配線により電気的に接続したことにより、孤立電極の引出配線を必要とせず、配線の簡略化を図ることができる。
【発明を実施するための最良の形態】
【０００７】
以下、図を参照して本発明を実施するための最良の形態について説明する。
−第１の実施の形態−
図１は本発明の第１の実施の形態を示す図であり、本発明による表示装置をファインダー内表示に利用したカメラの概略構成を示すブロック図である。カメラボディ１には、撮影レンズ２を備えるレンズ鏡筒３が交換可能に装着されている。４は記録媒体として設けられたフィルムである。図１では銀塩フィルムを用いる一眼レフカメラを例に示したが、例えば、一眼レフ方式のデジタルカメラであれば、記録媒体としてＣＣＤやＣＭＯＳ等の撮像素子が用いられる。
【０００８】
撮影レンズ２とフィルム４との間には、被写体光をファインダー光学系へと反射するミラー５が配設されている。なお、図示していないが、フィルム４とミラー５との間にはシャッタが設けられている。フィルム４の感光材料面と光学的に等価な位置には、ファインダースクリーン６が配置されている。被写体１１からの被写体光はミラー５で反射され、ファインダースクリーン６上に結像する。ファインダースクリーン６上に結像された被写体像は、ペンタプリズム７および接眼レンズ８を介してファインダー接眼部１４から観察することができる。なお、撮影の際にはミラー５が被写体光の光路上から光路外へと移動され、フィルム４上に被写体像が結像される。
【０００９】
また、カメラボディ１内には、ファインダー内表示装置として用いられる液晶表示素子９がファインダースクリーン６に隣接して配置されている。液晶表示素子９には高分子分散型液晶が用いられている。高分子分散型液晶には大きく分けてポリマーネットワーク液晶とホログラフィック高分子分散液晶とがあるが、本発明の液晶表示素子にはいずれの液晶も用いることができる。さらには、高分子分散型液晶に限らず、ゲストホスト液晶なども使用することができる。以下では、ポリマーネットワーク液晶を用いた場合を例に説明する。
【００１０】
ポリマーネットワーク液晶はネットワーク状のポリマーの中に屈折率異方性の液晶が存在するものであり、電圧非印加時には、入射した光が等方散乱を起こして全体的に白く濁って見える。一方、電圧を印加すると液晶分子が基板垂直方向に配向するようになり、入射光に対して透明状態となる。そのため、このような液晶表示素子９をファインダースクリーン６の上方に配置すると、被写体光が等方散乱される電圧非印加領域はファインダーから見ると電圧印加領域に比べて暗く（黒く）見えることになる。
【００１１】
［液晶表示素子９の構造説明］
図２は液晶表示素子９の一例を示す図であり、（ａ）は正面図、（ｂ）はＡ−Ａ断面図である。ここでは、ＡＦエリアに対応した矩形環状の標識として、図２に示すようなＡＦエリアマーク９１ａ〜９１ｅを表示する場合を例に説明する。通常は液晶表示素子９の全領域が透明状態とされ、ファインダースクリーン６上に結像された被写体像が液晶表示素子９を通して観察される。そして、カメラのレリーズボタンを半押し操作するなどしてピント位置確認の操作を行うと、最もピントの合っているＡＦエリアに対応するＡＦエリアマークが黒く表示され、被写体像の上にＡＦエリアマーク９１ａ〜９１ｅのいずれか一つが重畳表示されることになる。
【００１２】
図２（ｂ）の断面図に示すように、液晶表示素子９はガラス等からなる一対の透明基板９００，９６０の間に液晶層９４０を挟持したものである。図示は省略したが、透明基板９００，９６０間の周縁部分には封止材が設けられている。透明基板９６０には、透明電極層９５０が基板面全域に形成されている。一方、透明基板９００には、配線層９１０、絶縁膜層９２０および透明電極層９３０が順に形成されている。
【００１３】
配線層９１０および透明電極層９３０，９５０はいずれもインジウムティンオキサイド（ＩＴＯ）でできた透明導電膜であり、後述するように、透明電極層９３０にはＡＦエリアマーク９１ａ〜９１ｅに応じた電極がパターニングされ、配線層９１０には配線がパターニングされている。透明電極層９３０の各電極および透明電極層９５０は、配線層９１０の配線を介して駆動回路１３に接続されており、駆動回路１３により印加電圧が制御される。
【００１４】
絶縁膜層９２０は、透明電極層９３０と配線層９１０の不要な部分が導通しないように設けられた電気的な絶縁層であり、例えばアクリル系の材料が用いられる。絶縁膜層９２０には、透明電極層９３０の各電極に対応してスルーホールＨが形成されている。したがって、透明電極層９３０を作成する際に、スルーホールＨが形成された絶縁膜層９２０の上にＩＴＯの透明導電膜を形成すると、ＩＴＯがスルーホールＨ内に入り込み、透明電極層９３０の各電極は、スルーホールＨを介して配線層９１０に形成された対応する配線と接続される。
【００１５】
次に、図３を用いて液晶表示素子９の各層の詳細を説明する。図３（ａ）は透明電極層９３０を示す図であり、透明電極層９３０には、図２（ａ）の各ＡＦエリアマーク９１ａ〜９１ｅに対応する５つの環状電極９３１と、閉じた各環状電極９３１の内側領域に形成された５つの孤立電極９３２と、環状電極９３１の周囲領域に形成された一つの周辺電極９３３とが設けられている。環状電極９３１と孤立電極９３２との境界および環状電極９３１と周辺電極９３３との境界には、絶縁のための微小隙間がそれぞれ形成されている。
【００１６】
図３（ｂ）は絶縁膜層９２０を示す図である。絶縁膜層９２０には、透明電極層９３０に形成された各環状電極９３１に対向する５つのスルーホールＨ１と、各孤立電極９３２に対向する５つのスルーホールＨ２と、周辺電極９３３に対向する１つのスルーホールＨ３および５つのスルーホールＨ４とが形成されている。なお、破線は各環状電極９３１の位置を示している。
【００１７】
図３（ｃ）は配線層９１０に形成された配線を示す図であり、図３（ｂ）と同様に各環状電極９３１の位置を破線で示した。引出配線９１１，９１２は駆動回路１３と電極９３１，９３３とを接続する配線であって、各引出配線９１１はスルーホールＨ１を介して各環状電極９３１に接続され、引出配線９１２はスルーホールＨ３を介して周辺電極９３３に接続されている。
【００１８】
これらの引出配線９１１，９１２の図示右端部分は、駆動回路１３に接続するための引出部として露出している。バイパス配線９１３は環状電極９３１の内側に配設された孤立電極９３２と周辺電極９３３とを接続するバイパス用の配線であり、これにより、各孤立電極９３２の電位は、常に周辺電極９３３と同電位に保たれている。
【００１９】
図３に示すような構造の液晶表示素子９では、例えば、図１の中央のＡＦエリアマーク９１ａを黒く表示する場合には、対応する中央の環状電極９３１の電位を対向する透明電極層９５０と同電位とし、その他の環状電極９３１および周辺電極９３３の電位を透明電極層９５０と異なる電位となるように制御する。その結果、中央の環状電極９３１部分の液晶は光を等方散乱する状態となり、ファインダーからみるとＡＦエリアマーク９１ａの部分が暗く見えることになる。
【００２０】
第１の実施の形態の液晶表示素子９では、孤立電極９３２および周辺電極９３３の領域は常に透明状態で使用されるので、環状電極９３１に囲まれた孤立電極９３２を、それと同電位とされる周辺電極９３３にバイパス配線９１３で接続するようにした。そのため、孤立電極９３２に関する配線が簡略化され、配線抵抗の上昇を抑えることができるとともに、製造上の歩留まりの向上を図ることができる。
【００２１】
図４は、従来の液晶表示素子における配線の一例を示したものであり、配線と電極９３１〜９３３とを重ねて表示した。従来は、各電極９３１〜９３３からそれぞれ引出配線９１１，９１２，９１４を引き出し、駆動回路１３が接続される引出部まで配線を引き回すようにしていた。そのため、パターン引き回しによりパターン抵抗の上昇を招いたり、製造上の歩留まりが低下するという問題があった。図４と図３（ｃ）とを比較すると分かるように、引出配線の数を従来の１１本から６本へとほぼ半減させることができる。この引出配線の減る本数は、閉じた環状電極で表示される標識の数が増えるほど多くなる。
【００２２】
上述した実施の形態では、以下のような作用効果を奏する。
（１）電気的絶縁層９２０と基板９００と間に配設され、スルーホールＨ２，Ｈ４を介して周辺電極９３３と孤立電極９３２とを接続するバイパス配線９１３が形成された配線層９１０とを備えたことにより、引出配線の数を従来よりも低減させることができる。その結果、配線が簡略化され、配線抵抗の上昇を抑えることができるとともに、製造上の歩留まりの向上を図ることができる。
【００２３】
（２）また、このような液晶表示素子９と、第１および第２の引出配線９１１，９１２を介して各電極９３１〜９３３に電圧を印加する電源１３と、電源１３による印加電圧を制御して液晶表示素子９に標識を表示させる制御手段１３とを備えることにより、同様の効果を有する表示装置を得ることができる。
【００２４】
−第２の実施の形態−
図５は、第２の実施の形態におけるファインダー内表示の一例を示したものである。ファインダー内の左下領域には、シャッタースピードを示す標識Ｍ１と、絞り値を示す標識Ｍ２とが被写体像に重畳して表示されている。シャッタースピードや絞り値は、複数のセグメントパターンを用いて表される数字やアルファベットにより表示される。
【００２５】
図６は、液晶表示素子９の一文字分の表示部に関して、電極、スルーホールおよび配線を重ねて示したものである。図７は、図６のＢ−Ｂ断面を示したものである。第１の実施の形態と同様に、透明基板９００上には、配線層９１０、絶縁膜層９２０および透明電極層９３０が順に形成されている。透明電極層９３０には、所定の形状の電極が複数形成されている。各電極間には、隣接する電極同士を電気的に絶縁する隙間が形成されている。以下では、この隙間のことを絶縁部と呼ぶことにする。
【００２６】
図７では、透明電極層９３０に３つの電極が示されている。絶縁膜層９２０にはスルーホールＨが形成されており、このスルーホールＨ内のＩＴＯを介して、中央の電極と配線層９１０の配線とが電気的に接続されている。一方、透明基板９００の内側の表面には、全域に透明電極層９５０が形成されている。透明電極層９３０と透明電極層９５０との間には高分子分散型の液晶から成る液晶層９４０が設けられる。透明電極層９３０の標識用電極である中央の電極に対向する液晶層９４０の部分には、ホログラム９４１が形成されている。
【００２７】
ホログラム９４１は、例えば、特開２００６−３３０１０３号公報に記載されているような周知の技術により形成することができる。なお、第２の実施の形態では液晶表示素子９にホログラム９４１を用いているので、液晶表示素子９の側面から照明光を基板内に入射させるための照明光源を、図１のブロック図に追加する。
【００２８】
図８〜図１０は、図６に示す表示部に関して、図７に示す透明電極層９３０，絶縁膜層９２０および配線層９１０の平面図を示したものである。図８に示すように、透明電極層９３０には、標識を表示するために設けられた７つの標識用電極９３４Ａ〜９３４Ｇと、２つの孤立電極９３２Ａ，９３２Ｂと、標識用電極９３４Ａ〜９３４Ｇの周囲に設けられた周辺電極とが形成されている。
【００２９】
図１１は、標識用電極９３４Ｅ，９３４Ｆ，９３４Ｇが近接している部分の拡大図である。各電極９３２Ａ，９３２Ｂ，９３３，９３４Ｅ〜９３４Ｇ間には絶縁部９３５、すなわち絶縁のための隙間、が形成されている。図８では、各電極の輪郭を表す太い実線が図１１の絶縁部９３５に対応している。図１１では、標識用電極９３４Ｆ上にのみホログラム９４１を示したが、実際には、各標識用電極９３４Ａ〜９３４Ｇに対向する部分にそれぞれ形成されている。なお、平面図で見た場合のホログラム９４１の形状は、対応する標識用電極の形状とほぼ同一となっている。
【００３０】
図９は絶縁膜層９２０の平面図である。絶縁膜層９２０には、上下の層に貫通するスルーホールＨ１１〜Ｈ１７，Ｈ２１〜Ｈ２５が形成されている。なお、図９では、各スルーホールと電極との位置関係が分かり易いように標識用電極を二点差線で示し、各電極に括弧付きの符号を付した。各標識用電極９３４Ａ〜９３４Ｇに対応する位置には、スルーホールＨ１１〜Ｈ１７が形成されている。孤立電極９３２Ａに対応する位置にはスルーホールＨ２１が形成されており、孤立電極９３２Ｂに対応する位置には二つのスルーホールＨ２２，Ｈ２３が形成されている。また、周辺電極９３３に対応する位置には二つのスルーホールＨ２４，Ｈ２５が形成されている。
【００３１】
図１０は配線層９１０の平面図である。なお、図１０では、各配線とスルーホールおよび電極との位置関係が分かり易いように標識用電極を二点差線で示し、スルーホールを点線で示すとともに各スルーホールに括弧付きの符号を付した。引出配線９１１は各標識用電極９３４Ａ〜９３４Ｇ（図８参照）と駆動回路１３（図１参照）とを接続する配線であり、それぞれスルーホールＨ１１〜Ｈ１７を介して透明電極層９３０の各標識用電極９３４Ａ〜９３４Ｇに接続される。引出配線９１２は周辺電極９３３と駆動回路１３とを接続する配線であり、スルーホールＨ２５を介して周辺電極９３３に接続される。図３（ｃ）の場合と同様に、これらの引出配線９１１，９１２の図示右端部分は、駆動回路１３に接続するための引出部として露出している。
【００３２】
一方、標識用電極によって囲まれた孤立電極９３２Ａ，９３２Ｂは、バイパス配線９１５により互いに接続されている。さらに、孤立電極９３２Ｂはバイパス配線９１３により周辺電極９３３と接続されている。バイパス配線９１５は、スルーホールＨ２１，Ｈ２２を通ることにより、標識用電極９３４Ｇをバイパスするように孤立電極９３２Ａ，９３２Ｂ同士を接続している。同様に、バイパス配線９１３は、スルーホールＨ２３，Ｈ２４を通ることにより、標識用電極９３４Ｄをバイパスするように孤立電極９３２Ｂと周辺電極９３３とを接続している。その結果、孤立電極９３２Ａ，９３２Ｂおよび周辺電極９３３は、常に同電位に保たれている。
【００３３】
なお、図１０では、バイパス配線９１５により孤立電極９３２Ａを孤立電極９３２Ｂに接続して、孤立電極９３２Ａが周辺電極９３３と同電位になるようにしたが、孤立電極９３２Ａと周辺電極９３３との間にバイパス配線９１３を設けて、孤立電極９３２Ａを周辺電極９３３に直接に接続しても良い。いずれの場合でも、配線の長さは同程度となる。
【００３４】
図１２は、図６に示す液晶表示素子９による表示例を示したものであり、（ａ）は図５の標識Ｍ１（シャッタースピード）を表示した場合、（ｂ）は図５の標識Ｍ２（絞り値）を表示した場合を示す。図１２（ａ）の場合、図６に示した構造の表示部を４つ設けて４文字の標識Ｍ１を表示する。なお、図１２（ａ）に示す例では、３桁の数字で表されるシャッタースピード表示「６４０」が表示されている。
【００３５】
図６に示す液晶表示素子９においては、周辺電極９３３および孤立電極９３２Ａ，９３２Ｂに対向する部分の液晶が常に透明状態となるように、それらの電極は対向する透明電極９５０と異なる電位に制御される。図１２（ａ）では、左端の表示部Ｍ１４は非表示状態となっており、表示部Ｍ１４の標識用電極９３４Ａ〜９３４Ｇ（図６参照）は、対向する透明電極９５０と異なる電位に制御される。そのため、標識用電極９３４Ａ〜９３４Ｇに対応して設けられた各ホログラム９４１は、基板側面から入射された照明光を回折しない。その結果、標識用電極９３４Ａ〜９３４Ｇの部分の液晶は透明状態となる。
【００３６】
図１２（ａ）の左から２番目の表示部Ｍ１３には、数字「６」が表示されている。この場合、図６の標識用電極９３４Ａ，９３４Ｂ，９３４Ｃ，９３４Ｄ，９３４Ｆおよび９３４Ｇは、対向する透明電極９５０と同電位に制御される。その結果、標識用電極９３４Ａ〜９３４Ｄ，９３４Ｆおよび９３４Ｇに対応して設けられた各ホログラム９４１は、基板側面から入射された照明光を回折し、標識用電極が設けられている領域が点灯して見える。同様に、表示部Ｍ１２の場合には標識用電極９３４Ｃ，９３４Ｅ〜９３４Ｇが、表示部Ｍ１１の場合には標識用電極９３４Ａ〜９３４Ｆが、それぞれ対向する透明電極９５０と同電位となるように制御される。
【００３７】
図１２（ｂ）に示す標識Ｍ２の場合、表示部Ｍ２１〜Ｍ２３は図６に示した表示部と同一構造となっている。表示部Ｍ２０は点を表示する表示部であり、正方形の標識用電極９３６と、標識用電極９３６と不図示の駆動回路１３とを接続する引出配線９１１と、引出配線９１１を標識用電極９３６に接続するためのスルーホールとを有している。一方、表示部Ｍ２４はアルファベット文字「Ｆ」を表示する表示部であり、Ｆ字形状を成す標識用電極９３７と、標識用電極９３７と不図示の駆動回路１３とを接続する引出配線９１１と、引出配線９１１を標識用電極９３７に接続するためのスルーホールとを有している。
【００３８】
図１３は、液晶表示素子９に表示される標識の他の例を示したものである。図１３（ａ）はオートホワイトバランス機能のオンオフを表示する標識であり、電極としてＷ字形状の孤立電極８０１と、Ｂ字形状の孤立電極８０２と、文字の周囲に設けられた標識用電極８０３，８０４とを備えている。標識用電極８０３の周囲には、周辺電極９３３が設けられている。
【００３９】
孤立電極８０１はバイパス配線９１３により周辺電極９３３に接続され、さらに、孤立電極８０１と孤立電極８０２とはバイパス配線９１５によって接続されている。そのため、孤立電極８０１，８０２は常に周辺電極９３３と同電位に保たれ、これらの領域の液晶層は常に透明状態になっている。一方、標識用電極８０４同士、および、上側の標識用電極８０４と標識用電極８０３とは、それぞれバイパス配線９１５で接続されている。そして、標識用電極８０３は、引出配線９１１により不図示の駆動回路１３に接続されている。そのため、標識用電極８０３および標識用電極８０４は同電位となるように制御される。
【００４０】
液晶層９４０（図７参照）の標識用電極８０３，８０４に対向する領域には、標識用電極８０３，８０４と同一形状にホログラム９４１が形成されている。そのため、標識用電極８０３，８０４を対向する透明電極９５０と同電位に制御することで、図１３（ａ）に示すような標識が表示される。逆に、標識用電極８０３，８０４を対向する透明電極９５０と異なる電位に制御することで、図１３（ａ）に示す表示が消えて表示部は透明状態となる。
【００４１】
図１３（ｂ）はバッテリ残量を表示する標識であり、電極として、周辺電極９３３と、標識用電極８１１，８１２と、孤立電極８１３とを有している。標識用電極８１１，８１２同士はバイパス配線９１５により接続され、標識用電極８１１は引出配線９１１により不図示の駆動回路１３に接続されている。一方、孤立電極８１３は、バイパス配線９１３により周辺電極９３３と接続されている。標識用電極８１１，８１２を対向する透明電極９５０と同電位とすることにより、図１３（ｂ）のような表示が点灯する。逆に、標識用電極８１１，８１２を対向する透明電極９５０と異なる電位とすることにより、表示が消える。
【００４２】
図１３（ｃ）は、カメラにメモリカードが装着されているか否かを表示する標識である。表示部には、電極として、標識用電極８２１，８２２と、孤立電極８２３と周辺電極９３３を有している。孤立電極８２３は、バイパス配線９１３により周辺電極９３３と接続されている。一方、標識用電極８２１と標識用電極８２２とはバイパス配線９１５により接続され、標識用電極８２２は引出配線９１１により不図示の駆動回路１３に接続されている。そのため、標識用電極８２１，８２２は常に同一の電位に制御されており、標識用電極８２１，８２２を対向する透明電極９５０と同電位とすることにより図１３（ｃ）のように標識が表示される。逆に、標識用電極８２１，８２２を対向する透明電極９５０と異なる電位とすることで、標識の表示が消える。
【００４３】
図１４は、他の形態の標識Ｍ３による表示例を示す図である。標識Ｍ３は表示部Ｍ３１，Ｍ３２から成り、図１４（ａ）では表示部３１に文字「Ｏ」が表示され、表示部３２に文字「Ｋ」が表示されている。図１４（ｂ）では、表示部３１に文字「Ｎ」が表示され、表示部３２に文字「Ｇ」が表示されている。
【００４４】
図１５は、表示部Ｍ３１の電極、配線、スルーホールを重ねて表示したものである。表示部Ｍ３１は、標識用電極８３０〜８３４、孤立電極８３５，８３６および周辺電極９３３と、孤立電極８３５，８３６を接続するバイパス配線９１５と、孤立電極８３６と周辺電極９３３とを接続するバイパス配線９１３と、各標識用電極８３０〜８３４と不図示の制御回路１３とを接続する引出配線９１１と、９つのスルーホールＨとを有している。
【００４５】
標識用電極８３０〜８３３を対向する透明電極９５０と同電位に、他の標識用電極８３４を透明電極９５０と異なる電位にそれぞれ制御すると、図１４（ａ）に示すように、表示部Ｍ３１に文字「Ｏ」が点灯表示される。一方、標識用電極８３１，８３３を対向する透明電極９５０と同電位に、他の標識用電極８３０，８３２を透明電極９５０と異なる電位にそれぞれ制御すると、図１４（ｂ）に示すように、表示部Ｍ３１に文字「Ｎ」が点灯表示される。
【００４６】
図１６は、表示部Ｍ３２の電極、配線、スルーホールを重ねて表示したものである。表示部Ｍ３２は、標識用電極８４０〜８４５、孤立電極８４６〜８４８および周辺電極９３３と、孤立電極８４６，９４７同士および孤立電極８４６，８４８同士を接続するバイパス配線９１５と、孤立電極８４７と周辺電極９３３とを接続するバイパス配線９１３と、各標識用電極８４０〜８４５と不図示の制御回路１３とを接続する引出配線９１１と、１２のスルーホールＨとを有している。
【００４７】
標識用電極８４１，８４３，８４５を対向する透明電極９５０と同電位に、他の標識用電極８４０，８４２，８４４を透明電極９５０と異なる電位にそれぞれ制御すると、図１４（ａ）に示すように、表示部Ｍ３２に文字「Ｋ」が点灯表示される。一方、標識用電極８４０〜８４２，８４４，８４５を対向する透明電極９５０と同電位に、他の標識用電極８４３を透明電極９５０と異なる電位にそれぞれ制御すると、図１４（ｂ）に示すように、表示部Ｍ３２に文字「Ｇ」が点灯表示される。
【００４８】
図１７は、撮影の際の構図設定をアシストする構図枠を表示する場合の、表示部の構成を示す図である。標識用電極９６０の形状の違いにより、図１７（ａ）では中央に円形のリング枠が表示され、図１７（ｂ）では矩形の枠が表示される。いずれの場合も、標識用電極９６０、５つの孤立電極９６１Ａ〜９６１Ｅ、周辺電極９３３、孤立電極同士を接続する４つのバイパス配線９１５、孤立電極９６１Ｂと周辺電極９３３とを接続するバイパス配線９１３、標識用電極９６０と不図示の駆動回路１３とを接続する引出配線９１１および複数のスルーホールＨを有する。標識用電極９６０を対向する透明電極９５０（図７参照）と同電位とするか否かにより、枠の表示／非表示を切り替える。
【００４９】
前述した第１の実施の形態では、環状電極９３１に囲まれた孤立電極９３２をバイパス配線９１３により周辺電極９３３と接続し、配線の簡略化を図るようにした。一方、第２の実施の形態では、図８に示すように孤立電極は９３２Ａは、環状電極ではなく、複数の標識用電極９３４Ａ，９３４Ｂ，９３４Ｇ，９３４Ｆにより周囲を囲まれている。
【００５０】
ところで、標識用電極９３４Ａ〜９３４Ｇは、文字や数字を表示するためのセグメント電極であるため、文字や数字の表示が不自然とならないように、各電極間の絶縁部９３５の幅は絶縁が可能な程度に極力小さく抑えられている。そのため、図１８に示すように、標識用電極９３４Ｅと標識用電極９３４Ｆとの間の絶縁部９３５に配線電極９５０を形成し、孤立電極９３２Ａと周辺電極９３３とを接続しようとすると、電極間の隙間が大きくなりすぎて表示が不自然となる。
【００５１】
しかしながら、第２の実施の形態では、孤立電極９３２Ａ，９３２Ｂをバイパス配線９１５で接続し、さらに、孤立電極９３２Ｂと周辺電極９３３とをバイパス配線９１３で接続しているので、標識用電極間の隙間を極力小さくすることができ、表示の品質が向上する。また、図１３（ｃ）の標識用電極８２１，８２２のように、常に同電位に制御される電極同士をバイパス配線９１５で接続することで、引出配線９１１の数を低減することができる。図１６の孤立電極８４６，８４７，８４８の場合には、近接した孤立電極間をバイパス配線９１５で接続することにより、各孤立電極をバイパス配線９１３でそれぞれ周辺電極９３３と接続する場合に比べて配線の合計長さを低減することができる。
【００５２】
上述した第１の実施の形態では、ポリマーネットワーク液晶を例に説明したが、ホログラフィック高分子分散液晶やゲストホスト液晶などを用いた液晶表示素子にも適用することができる。例えば、第２の実施の形態のようにホログラフィック高分子分散液晶を用いる場合には、ＡＦエリアマーク９１ａ〜９１ｅの部分に液晶ホログラムを形成し、液晶表示素子の側面から照明光を基板内に入射させる。電圧非印加時は液晶ホログラムが動作して照明光が液晶ホログラムにより回折され、その回折光がペンタプリズム７方向へと出射されてＡＦエリアマークが点灯表示される。一方、電圧印加時には照明光に対する回折が起こらず、ＡＦエリアマークは消灯状態となり表示が消える。また、本発明の特徴を損なわない限り、本発明は上記実施の形態に何ら限定されるものではない。
【図面の簡単な説明】
【００５３】
【図１】本発明による表示装置をファインダー内表示に利用したカメラの概略構成を示すブロック図である。
【図２】液晶表示素子９の一例を示す図であり、（ａ）は正面図、（ｂ）はＡ−Ａ断面図である。
【図３】液晶表示素子９の各層の詳細を説明する図であり、（ａ）は透明電極層９３０を、（ｂ）は絶縁膜層９２０を、（ｃ）は配線層９１０をそれぞれ示す。
【図４】従来の液晶表示素子における配線の一例を示す図である。
【図５】第２の実施の形態におけるファインダー内表示の一例を示す図である。
【図６】一文字分の表示に関して、電極、スルーホールおよび配線を重ねて示した図である
【図７】図６のＢ−Ｂ断面図である。
【図８】図６に示す液晶表示素子９の透明電極層９３０を示す平面図である。
【図９】図６に示す液晶表示素子９の絶縁膜層９２０を示す平面図である。
【図１０】図６に示す液晶表示素子９の配線層９１０を示す平面図である。
【図１１】標識用電極９３４Ｅ〜９３４Ｇの近接部の拡大図である。
【図１２】図６に示す液晶表示素子９による表示例を示す図であり、（ａ）は標識Ｍ１の場合、（ｂ）は標識Ｍ２の場合を示す。
【図１３】液晶表示素子９に表示される標識の他の例を示す図であり、（ａ）はオートホワイトバランス機能のオンオフを表示する標識、（ｂ）はバッテリ残量を表示する標識、（ｃ）はメモリカードの装着・非装着を表示する標識である。
【図１４】標識Ｍ３による表示例を示す図である。
【図１５】表示部Ｍ３１の電極、配線、スルーホールを示す図である。
【図１６】表示部Ｍ３２の電極、配線、スルーホールを示す図である。
【図１７】構図枠を表示する標識を示す図であり、（ａ）は第１の例、（ｂ）は第２の例を示す。
【図１８】配線電極９５０を説明する図である。
【符号の説明】
【００５４】
１：カメラボディ、２：撮影レンズ、４：フィルム、５：ミラー、６：ファインダースクリーン、７：ペンタプリズム、８：接眼レンズ、９：液晶表示素子、１３：駆動回路、９１ａ〜９１ｅ：ＡＦエリアマーク、９００，９６０：透明基板、９１０：配線層、９１１，９１２，９１４：引出配線、９１３，９１５：バイパス配線、９２０：絶縁膜層、９３０，９５０：透明電極層、９３１：環状電極、８０１，８０２，８１３，８２３，８３５，８３６，８４６〜８４８，９３２，９３２Ａ，９３２Ｂ，９６１Ａ〜９６１Ｅ：孤立電極、８０３，８０４，８１１，８１２，８２１，８２２，８３０〜８３４，８４０〜８４５，９３４Ａ〜９３４Ｇ，９３６，９３７，９６０：標識用電極、９３３：周辺電極、９３５：絶縁部、９４０：液晶層、９４１：ホログラム、Ｈ，Ｈ１〜Ｈ４，Ｈ１１〜Ｈ１７，Ｈ２１〜Ｈ２５：スルーホール、Ｍ１，Ｍ２，Ｍ３：標識
【図１】
2008009386.tif 000003
【図２】
2008009386.tif 000004
【図３】
2008009386.tif 000005
【図４】
2008009386.tif 000006
【図５】
2008009386.tif 000007
【図６】
2008009386.tif 000008
【図７】
2008009386.tif 000009
【図８】
2008009386.tif 000010
【図９】
2008009386.tif 000011
【図１０】
2008009386.tif 000012
【図１１】
2008009386.tif 000013
【図１２】
2008009386.tif 000014
【図１３】
2008009386.tif 000015
【図１４】
2008009386.tif 000016
【図１５】
2008009386.tif 000017
【図１６】
2008009386.tif 000018
【図１７】
2008009386.tif 000019
【図１８】
2008009386.tif 000020